(57)【要約】【課題】径の異なる２種類のコインを使用する場合でもコイン投入がし易い物品排出装置を提供すること。【解決手段】物品排出のために径の異なる２種のコインを使用可能な物品排出装置において、直立状態で投入されたコインを受け入れる第１のコイン通路６２ｄと、第１のコイン通路６２ｄに奥の第２のコイン通路６２ｅと、第１のコイン通路６２ｄ及び第２のコイン通路６２ｅの脇の第３のコイン通路６２ｈと、第１のコイン通路内６２ｄ内にあるコインを摺接によって傾倒させる摺接部６２ｍと、小径側コインだけを当該小径側コインの傾倒によって第３のコイン通路６２ｈに導く開口６２ｆと、大径側コインの上縁にだけ当該大径側コインの傾倒途中で当接及び摺接して大径側コインを第２のコイン通路６２ｅに導くガイド部６２１ｆと、を有するコイン選別機構６０を備えている。【選択図】図１３
2019207578.tif 000002
【特許請求の範囲】
【請求項１】
物品排出のために径の異なる２種のコインを使用可能な物品排出装置において、コイン投入口から直立状態で投入されたコインを受け入れる第１のコイン通路と、前記第１のコイン通路の奥側に前記第１のコイン通路に連通されて設けられた第２のコイン通路と、前記第１のコイン通路及び前記第２のコイン通路の脇に前記第１コイン通路に連通されて設けられた第３のコイン通路と、前記第１のコイン通路内に設けられ前記コインを摺接によって前記第３のコイン通路側に傾倒させる摺接部と、前記第１のコイン通路と前記第３のコイン通路との間に設けられ前記２種のコインの中で小径側コインだけを当該小径側コインの傾倒によって前記第３のコイン通路に導く開口と、前記２種のコインの中で大径側コインの上縁にだけ当該大径側コインの傾倒途中で当接及び摺接して前記大径側コインを前記第２のコイン通路に導くガイド部と、を有するコイン選別機構を備えたことを特徴とする物品排出装置。
【請求項２】
前記第１のコイン通路、前記第２のコイン通路及び前記第３のコイン通路は下りのスロープとなっていることを特徴とする請求項１に記載の物品排出装置。
【請求項３】
前記第１のコイン通路の中で前記コインの下縁部に対峙する壁面は、傾倒を助ける方向に傾斜する傾斜面となっていることを特徴とする請求項１又は請求項２に記載の物品排出装置。
【請求項４】
前記小径側コインを直立状態で落下させる第２のコイン落下孔と、前記大径側コインを直立状態で落下させる第１のコイン落下孔とが左右方向に並設されていることを特徴とする請求項１から請求項３のいずれか一項に記載の物品排出装置。
【請求項５】
前記第１のコイン落下孔は前記摺接部の奥に設けられていることを特徴とする請求項４に記載の物品排出装置。
【発明の詳細な説明】
【技術分野】
【０００１】
本発明は物品排出装置に関するもので、詳しくは、コイン選別部の構造に関するものである。
【背景技術】
【０００２】
従来、コインを投入し、ハンドルを回転させることによって、カプセル商品（カプセルに収容されている商品）を排出する自動販売機が知られている。この自動販売機では、投入されたコインが、正規のコインか否かを判別し、正規のコインが所定枚数投入されたときにハンドルの操作を可能としている。
【０００３】
ところで、このような自動販売機で、径が異なる２種類のコインを使用する場合に、先ず、コイン投入口の形状によって、そのコインの径が小さいコインの通過を許容する第１の選別を行い、次いでコインの径の大小によって２つの通路を選択する第２の選別を行っている（例えば、特許文献１）。
【０００４】
具体的には、コイン投入口を斜めに傾斜させて配置し、コインを斜めにして投入し、投入コインを斜めにして移動させ、小さな径のコインをそのコインよりも大きく且つ大きな径のコインよりも小さい開口から自重で落下させて一方の通路に導き、大きな径のコインをそのまま移動させて他方の通路に導いている。
【先行技術文献】
【特許文献】
【０００５】
【特許文献１】特許第５６８４１９７号公報
【発明の概要】
【発明が解決しようとする課題】
【０００６】
しかしながら、コインを使用する一般的な自動販売機のコイン投入口の口はコインを直立状態で投入できるように縦長に形成されている場合が多いことから、コイン投入口が傾斜されて形成された場合には、利用者がコイン投入に際して戸惑う虞がある。
【０００７】
本発明は、このような問題点に鑑みなされたもので、径の異なる２種類のコインを使用する場合でもコイン投入がし易い物品排出装置を提供することを目的とする。
【課題を解決するための手段】
【０００８】
第１の手段は、
物品排出のために径の異なる２種のコインを使用可能な物品排出装置において、コイン投入口から直立状態で投入されたコインを受け入れる第１のコイン通路と、前記第１のコイン通路の奥側に前記第１のコイン通路に連通されて設けられた第２のコイン通路と、前記第１のコイン通路及び前記第２のコイン通路の脇に前記第１コイン通路に連通されて設けられた第３のコイン通路と、前記第１のコイン通路内に設けられ前記コインを摺接によって前記第３のコイン通路側に傾倒させる摺接部と、前記第１のコイン通路と前記第３のコイン通路との間に設けられ前記２種のコインの中で小径側コインだけを当該小径側コインの傾倒によって前記第３のコイン通路に導く開口と、前記２種のコインの中で大径側コインの上縁にだけ当該大径側コインの傾倒途中で当接及び摺接して前記大径側コインを前記第２のコイン通路に導くガイド部と、を有するコイン選別機構を備えたことを特徴とする。
【０００９】
第２の手段は、第１の手段において、前記第１のコイン通路、前記第２のコイン通路及び前記第３のコイン通路は下りのスロープとなっていることを特徴とする。
【００１０】
第３の手段は、第１の手段又は第２の手段において、前記第１のコイン通路の中で前記コインの下縁部に対峙する壁面は、傾倒を助ける方向に傾斜する傾斜面となっていることを特徴とする。
【００１１】
第４の手段は、第１の手段から第３の手段のいずれか一の手段において、前記小径側コインを直立状態で落下させる第２のコイン落下孔と、前記大径側コインを直立状態で落下させる第１のコイン落下孔とが左右方向に並設されていることを特徴とする。
【００１２】
第５の手段は、第４の手段において、前記第１のコイン落下孔は前記摺接部の奥に設けられていることを特徴とする。
【発明の効果】
【００１３】
第１の手段によれば、コイン投入口を縦長に設けることができるので、コイン投入が楽に行えることになる。また、直立状態でコインを投入することで、投入コインが転動によって円滑に流れることになる。
【００１４】
第２の手段によれば、スロープによって投入コインがさらに円滑に流れることになる。
【００１５】
第３の手段によれば、容易にコインを傾倒させることができる。
【００１６】
第４の手段によれば、直立状態でコインを落下させ、しかも、大径側コインと小径側コインとを左右方向に並んだ位置で落下させることができるため、その後の機構の配置等が簡素化される。例えば、大径側コインを処理する機構と、小径側コインを処理する機構とを左右対称或いは左右に並べて配置することができる。
【００１７】
第５の手段によれば、第１のコイン通路と第２のコイン通路とを直線状に並べることができるので、コイン選別機構をコンパクトに構成することができる。
【図面の簡単な説明】
【００１８】
【図１】本実施形態の自動販売機を示した概念的な全体斜視図である。
【図２】本実施形態の自動販売機の概念的な縦断面図である。
【図３】本実施形態の自動販売機における商品収容機構の要部を示した概念的な分解斜視図である。
【図４】本実施形態の自動販売機における空打ち防止機構を示した概念的な断面図で、待機位置にある商品保持孔にカプセル商品が存在する状態を示している。
【図５】本実施形態の自動販売機における空打ち防止機構を示した概念的な断面図で、待機位置にある商品保持孔にカプセル商品が存在しない状態を示している。
【図６】本実施形態の自動販売機における操作盤の裏側を示した要部斜視図である。
【図７】本実施形態の自動販売機における操作盤の裏側に配設されたハンドル作動機構を示した要部斜視図である。
【図８】本実施形態の自動販売機における板カムとスライド体の連結構造を示した側面図である。
【図９】本実施形態の自動販売機におけるスライド体ロック機構のロック状態を示した平面図である。
【図１０】本実施形態の自動販売機におけるスライド体ロック機構をロック解除状態を示した平面図である。
【図１１】本実施形態の自動販売機における第１のコイン選別機構を示した斜視図である。
【図１２】本実施形態の自動販売機における第１のコイン選別機構を示した底面図である。
【図１３】本実施形態の自動販売機における第１のコイン選別機構を示した分解斜視図である。
【図１４】本実施形態の自動販売機における第１のコイン選別機構の中央パーツを示した右側斜視図である。
【図１５】本実施形態の自動販売機における第１のコイン選別機構の中央パーツを示した左側斜視図である。
【図１６】本実施形態の自動販売機における第１のコイン選別機構の作用を示した図である。
【図１７】本実施形態の自動販売機における第１のコイン選別機構の作用を示した図である。
【図１８】本実施形態の自動販売機における第２のコイン選別機構を示した斜視図である。
【発明を実施するための形態】
【００１９】
図１に示した自動販売機１は、例えばカプセル商品（カプセルに封入した商品）Ａをボックス２内に予め収容しておき、ボックス２の前面のコイン投入口３に所定のコインＣを投入した後、ハンドル４を回転することによって、ボックス２内のカプセル商品Ａをボックス２の前面の商品排出口５から１個排出させる。ハンドル４は、１回転によって、コイン投入が可能な初期位置(コイン投入位置)、コイン投入検出位置、商品排出位置、空打ち防止位置を経て初期位置に戻る。
【００２０】
ボックス２の外郭は、ボックス本体２ａと、ボックス本体２ａの前面の商品充填口を塞ぐ開閉可能な透明な蓋体２ｂと、ボックス本体２の前面下部の操作盤２ｃとを含んで構成されている。
【００２１】
ボックス本体２ａ内には、ボックス２内に収容されているカプセル商品Ａを商品排出口５に排出するための商品排出機構１０(図２)と、ハンドル作動機構２０(図６)とを備えている。
【００２２】
(商品排出機構１０)
商品排出機構１０は図２及び図３に示すように、ボックス本体２ａの内部を上下に区切る仕切板１１を備えている。仕切板１１の上方の空間は商品収容空間となっており、その商品収容空間には多数のカプセル商品Ａが収容される。
仕切板１１の上面には図３に示すように上方に向けて開口する円形状の凹部１２が形成されている。この凹部１２の底には円形状の商品落下孔１２ａが１個形成されている。商品落下孔１２ａは図示しないスロープ等で商品排出口５と繋がっており、この商品落下孔１２ａから落下したカプセル商品Ａは商品排出口５まで導かれる。また、凹部１２の底にはハンドル作動機構２０の歯車２３ｂの上部を露出させる矩形状の孔１２ｂが形成されている。
【００２３】
凹部１２には商品保持ドラム(商品保持体)１３が収容される。商品保持ドラム１３は、図３に示すように、肉厚に形成され、カプセル商品Ａを保持するための商品保持孔(商品保持部)１４が周方向に所定ピッチで複数個（実施形態では４個）形成されている。この商品保持孔１４はカプセル商品Ａが１個収容可能な大きさを有している。また、商品保持ドラム１３には、下面周縁にラック歯１５が全周に亘って形成されている。このラック歯１５は、商品保持ドラム１３が凹部１２に収容された状態では、ハンドル作動機構２０の歯車２３ｂに噛合する。そして、歯車２３ｂは、図２に示すように、歯車２３ｂと同じ軸２３ｃに設けられた歯車２３ａ、及び、歯車２３ａに噛合する歯車２１を介して、歯車２１と同じハンドル軸４ａに設けられたハンドル４に連結されている。その結果、ハンドル４を回転すると、ハンドル軸４ａ、歯車２１、歯車２３ａ、軸２３ｃ、歯車２３ｂ及びラック歯１５を介して、ハンドル４の回転動力が商品保持ドラム１３に伝達されて当該商品保持ドラム１３が回転される。
なお、ハンドル４の１回転によって商品保持ドラム１３が回転する角度は、商品保持孔１４の個数をＮとすれば、３６０度／Ｎに設定され、ハンドル４の１回転毎に、商品保持孔１４の１つが順次に商品落下孔１２ａに合致し、商品保持孔１４に保持されているカプセル商品Ａが商品落下孔１２ａから落下して商品排出口５から１個ずつ排出される。
【００２４】
(空打ち防止機構(第１ハンドルロック機構)１７)
また、この自動販売機１は、図４及び図５に示すように、空打ち防止機構１７を備えている。この空打ち防止機構１７は次回のハンドル操作によってもカプセル商品４が排出されないようなときに、商品保持ドラム１３の回転ひいてはハンドル４の回転をコイン投入位置の直前で止めるものである。
この空打ち防止機構１７は、商品保持ドラム１３の下方に設けられた検出レバー１８を備えている。
検出レバー１８は、商品保持ドラム１３の半径方向に延在し、上方に突出する検出片１８ａ及び係止片１８ｂを有している。
このうち検出片１８ａは、商品保持ドラム１３の商品保持孔１４に対応する部分に位置し、係止片１８ｂは、商品保持ドラム１３の商品保持孔１４よりも内方に位置している。一方、商品保持ドラム１３には、各商品保持孔１４よりも内方に各商品保持孔１４に対応して被係止壁１３ｃが形成されている。そして、係止片１８ｂは、図５に示すように、検出片１８ａが商品保持孔１４に下方から進入している状態にあるとき、商品保持ドラム１３の被係止壁１３ｃに係合して商品保持ドラム１３の回転を阻止する。なお、検出レバー１８の後端には、検出片１８ａを商品保持孔１４に進入する方向に付勢するスプリング１９が設けられている。
【００２５】
この空打ち防止機構１７においては、検出レバー１８が待機位置の下方に設置されている。この待機位置にある商品保持孔１４が次回排出商品の商品保持孔となる。図４に示すようにカプセル商品Ａが待機位置の商品保持孔１４に存在するとき、カプセル商品Ａの自重によって検出レバー１８がスプリング１９の付勢力に抗して回動され、係止片１８ｂが商品保持ドラム１３の被係止壁１３ｃから離間している状態にある。このときには、空打ち防止機構１７は、商品保持ドラム１３の回転を許可する。一方、図５に示すようにカプセル商品Ａが待機位置の商品保持孔１４に存在しないときには、検出レバー１８がスプリング１９の付勢力によって回動され、係止片１８ｂが商品保持ドラム１３の被係止壁１３ｃに当接され、商品保持ドラム１３の回転が阻止される。また、このとき商品排出ドラム１３に連結されたハンドル４の回転も阻止される。
【００２６】
(ハンドル作動機構２０)
ハンドル作動機構２０は、図６及び図７に示すように操作盤２ｃの裏側に設けられている。ハンドル作動機構２０はハンドル４の回転を許容するものである。ハンドル４の操作は、目的別に分けると、コインＣの投入を検出するための第１操作と、カプセル商品Ａを排出してハンドル４を初期位置に戻す第２操作とに分けられる。第１操作はコイン投入の有無を条件とせず、第２操作はコイン投入を条件として許容される。
このハンドル作動機構２０は、ハンドル軸４ａの後端に歯車２１及び傘歯車２２を備えている。歯車２１は、上述したように、商品保持ドラム１３の矩形孔１２ｂに臨ませた歯車２３ｂに連結されている。一方、ハンドル軸４ａと直角に設けた軸２４ａには傘歯車２４が固定され、この傘歯車２４にハンドル軸４ａの傘歯車２２が噛合している。また、軸２４ａには図８に示すように板カム２５が固定されている。そして、この板カム２５には軸２６ａを中心に回動するレバー２６の上端部が係合している。板カム２５とレバー２６とは確動カムを構成している。そして、レバー２６の下端部はスライド体２７の後端に連結されている。このスライド体２７は後述のコインＣ１０，Ｃ２０に対応して２つ設けられ、２つのスライド体２７は互いに連結されている。このスライド体２７は板カム２５によってハンドル４が１回転したときに前後方向に１往復する。
【００２７】
また、このハンドル作動機構２０は、スライド体２７の移動を阻止するスライド体ロック機構(第２ハンドルロック機構)３０を備えている。このスライド体ロック機構(第２ハンドルロック機構)３０も後述のコインＣ１０，Ｃ２０に対応して２つ設けられている。このスライド体ロック機構３０はコインＣの投入が適切になされない場合に、スライド体２７をロックしてハンドル４の回転を阻止するものである。
このスライド体ロック機構３０は、図９及び図１０に示すように、スライド体２７のコイン収容凹部２７ａに対して先端が出没するロックレバー３１を備えている。このロックレバー３１は、スライド体２７の隣に設けられ、先端がスライド体２７のコイン収容凹部２７ａに入出可能となるように軸３１ａによって回動可能に支持されている。そして、ロックレバー３１は、スプリング３２によって、図９に示すように、先端がスライド体２７のコイン収容凹部２７ａに入り込む方向に付勢されている。
【００２８】
このスライド体ロック機構３０のロックレバー３１は、スライド体２７が初期位置(コイン投入位置)にあるとき、図１０に示すように、スライド体２７のコイン収容凹部２７ａの縁によって、スライド体２７に平行に保持されている。そして、ハンドル４が回転(第１操作)されると、スライド体４が操作盤２ｃの方向に移動する。この場合、図１０に示すように、スライド体２７のコイン収容凹部２７ａに所定枚数のコインＣが収容されていると、ロックレバー３１がコインＣの露出面に摺接して、ロックレバー３１の先端がコイン収容凹部２７ａに入り込まない。その結果、スライド体２７の移動が許容され、スライド体２７の移動によって、当該スライド体２７に保持されているコインＣは所定位置まで運ばれ落下して図示しないコイン収容箱に収容される。一方、図９に示すように、スライド体２７のコイン収容凹部２７ａに所定枚数のコインＣが収容されていないと、ロックレバー３１の先端がスプリング３２の付勢力によって回動されてコイン収容凹部２７ａに入り込み、コイン収容凹部２７ａの壁に当接してスライド体２７の移動が阻止される。これによって、ハンドル４の回転が阻止される。
【００２９】
(コイン選別機構)
また、この自動販売機１には、コイン投入口３とコイン収容凹部２７ａとの間に、コインを選別するためのコイン選別機構６０(図１１)及びコイン選別機構３５(図１８)が設けられている。
【００３０】
この自動販売機１では、コイン選別として３段階のコイン選別が行われる。
１段階目のコイン選別はコイン選別機構６０の入口つまりコイン投入口３において行われる。コイン投入口３の口は、自動販売機１で使用される最大径、最大厚のコインが通過できる大きさとなっていて、それを越えるコインの投入自体を阻止する。２段階目のコイン選別もコイン選別機構６０で行われる。このコイン選別機構６０では、自動販売機１で使用される互いの径の異なる２種類のコインを選別するために、投入コインＣを径を基準として２つのグループのコインＣ１，Ｃ２に振り分ける。３段階目のコイン選別はコイン選別機構３５で行われる。このコイン選別機構３５では、２つのグループのコインＣ１，Ｃ２から正規のコインＣ１０，Ｃ２０を選別する。
【００３１】
１．コイン選別機構６０
図１１はコイン選別機６０の正面側斜視図、図１２はコイン選別機６０の底面図である。このコイン選別機６０は、大別すると、コイン投入部６１と、コイン投入口３から投入されたコイン(投入コインＣ)を径別に２つのグループのコインＣ１，Ｃ２に振り分ける箱体６２とから構成されている。そして、このコイン選別機６０では、振り分けられたコインＣ１を底部のコイン落下孔６２ｂから、また、コインＣ２を底部のコイン落下孔６２ｃから下方に落下させる。ここで、コインＣとはコイン投入口３に投入されたコインであり、コインＣ１は、投入コインＣの中で比較的に径の大きなグループに属するコイン、コインＣ２は投入コインＣの中で比較的に径の小さなグループに属するコインである。
【００３２】
コイン投入部６１は、図１３に示すように、上面板６１ａと、上面板６１ａに垂設され縦長のコイン投入口３が形成された前面板６１ｂと、左右側部に設けられた補強板６１ｃとを備える。このコイン投入部６１は、前面板６１ｂの下部が軸６１ｄを介して箱体６２に回動可能に軸支され、回動によって、箱体６２の前部と箱体６２の上面及び側面の一部とを被覆する状態と、箱体６２の前部と箱体６２の上面及び側面の一部とを露出させる状態とを取り得る。
【００３３】
箱体６２は、図１３に示すように、中央パーツ６３と、中央パーツ６３を左右から挟持する左側パーツ６４及び右側パーツ６５とから構成されている。そして、箱体６２の前面には、コイン投入口３から投入されたコインを箱体６２の内部に導入する縦長の孔６２ａが形成されている。また、箱体６２の下面奥部には右側にコインＣ１のコイン落下孔６２ｂ、左側にコインＣ２のコイン落下孔６２ｃが形成されている。そして、孔６２ａから箱体６２の内部に導入された投入コインＣは箱体６２の内部で互いに径の異なる２つのグループのコインＣ１とコインＣ２とに振り分けられて、コインＣ１はコイン落下孔６２ｂから、また、コインＣ２はコイン落下孔６２ｃから下方に落下する。
【００３４】
次に、箱体６２の内部の構造について説明する。
上記孔６２ａの直ぐ奥には、投入コインＣが通る第１のコイン通路６２ｄが形成され、さらに、第１のコイン通路６２ｄの奥には、投入コインＣ１が通る第２のコイン通路６２ｅが形成されている。第１のコイン通路６２ｄ及び第２のコイン通路６２ｅは、奥行き方向に略一直線状に並んで設けられ、全体として下りのスロープとなっている。また、第１のコイン通路６２ｄ及び第２のコイン通路６２ｅの左右は、中央パーツ６３に設けられた開口６２ｆの縁と、右側パーツ６５に設けられた壁６２ｇによって区画され(図１４〜図１６参照)、第１のコイン通路６２ｄ及び第２のコイン通路６２ｅは互いに連通されている。この場合の開口６２ｆの下縁６２０ｆのうちで第１のコイン通路６２ｄ及び第２のコイン通路６２ｅに対峙する面は概ね傾斜面となっている。また、開口６２ｆの上縁６２１ｆのうちで第１のコイン通路６２ｄ及び第２のコイン通路６２ｅに対峙する面は鉛直面となっていて、傾倒途中のコインＣ１の上縁に当接及び摺接する。
また、第２のコイン通路６２ｅの終端部には上記コイン落下孔６２ｂが形成されている。そして、傾倒され第１のコイン通路６２ｄから第２のコイン通路６２ｅに入ったコインＣ１は、奥側の壁に突き当たる等した後にコイン落下孔６２ｂから落下する。
【００３５】
第１のコイン通路６２ｄ及び第２のコイン通路６２ｅの左脇には、投入コインＣ２が通る第３のコイン通路６２ｈが形成されている。このコイン通路６２ｈの床面は３つの傾斜面６２ｉ、６２ｊ、６２ｋを備えている。傾斜面６２ｉ、６２ｊ、６２ｋはコイン落下孔６２ｃに向けて下りのスロープとなっている。この第３のコイン通路６２ｈの左右は、左側パーツ６４に設けられた壁６２ｌと、開口６２ｆの縁とによって区画され、この第３のコイン通路６２ｈは開口６２ｆを介して第１のコイン通路６２ｄに連通されている。また、第３のコイン通路６２ｈの終端部には上記コイン落下孔６２ｃが形成されている。そして、傾倒されたコインＣ２は第１のコイン通路６２ｄから開口６２ｆを介して第３のコイン通路６２ｈに入り、コイン通路６２ｈの傾斜面６２ｉ、６２ｊ、６２ｋによって効果的に反転させられて、奥側の壁に突き当たる等した後にコイン落下孔６２ｃから落下する。
【００３６】
第１のコイン通路６２ｄの終端部の上部には、図１３、図１６及び図１７に示すように、壁６２ｇから第１のコイン通路６２ｄ内に張り出す摺接部(ガイド部)６２ｍが設けられている。この摺接部６２ｍは、奥に行くに従って張り出し量が大きくなるように傾斜して形成されている。摺接部６２ｍは投入コインＣに摺接する位置に形成されている。その結果、図１６及び図１７に示すように、第１のコイン通路６２ｄを転動するコインＣは摺接部６２ｍに突き当たった後、摺接によって左側に傾倒される。このとき、図１６に示すように、コインＣ１は開口６２ｆの上縁(ガイド部)６２１ｆに当接し、摺接によって第２のコイン通路６２ｅに導かれる。一方、図１７に示すように、コインＣ２は開口６２ｆの上縁(ガイド部)６２１ｆに当接せず、開口６２ｆから第３のコイン通路６２ｈに導かれる。
【００３７】
ここで、第１のコイン通路６２ｄの長さと、第２のコイン通路６２ｅ(コイン落下孔６２ｃを含む。)の長さは、共に、コインＣ１の直径と同じ寸法程度に設定されている。そして、コイン落下孔６２ｂとコイン落下孔６２ｃとは左右に並べられて形成されている。
【００３８】
このコイン選別機６０によれば、コインＣを直立した状態(自然な状態)でコイン投入口３から投入できる。
また、コイン投入後直ぐに摺接部６２ｍでコインＣが振り分けられ、振り分け直後にコインを落下させることができるので、コンパクトなコイン選別機６０が実現できる。
【００３９】
２．コイン選別機構３５
図１８はコイン選別機構３５の斜視図である。このコイン選別機構３５は、正規のコインＣ１０，２０とそれよりも径が小さいコインＣ１１，２１とを選別するためのもので、コイン落下孔６２ｂ，６２ｃに対応して２つ設けられる。２つのコイン選別機構３５は、略同一の構造を有するので一緒に説明する。
このコイン選別機構３５は、軸３７ａによって回動可能に支持された回動プレート３７で、正規のコインＣ１０(Ｃ２０)と、それよりも径の小さなコインＣ１１(２１)とを選別する。即ち、回動プレート３７には、正規のコインＣ１０(Ｃ２０)の径よりも僅かに小さな間隔で突起３７ｂ，３７ｂが形成され、正規のコインＣ１０(Ｃ２０)よりも小さな径のコインＣ１１(Ｃ２１)は、突起３７ｂ，３７ｂ間を通過してコイン返却口７へ返却される。そして、正規のコインＣ１０(Ｃ２０)は、突起３７ｂ，３７ｂによって落下が阻止される。そして、回動プレート３７は、その正規のコインＣ１０(Ｃ２０)の重量で回動され、正規のコインＣ１０(Ｃ２０)はスライド体２７のコイン収容凹部２７ａに送られる。
【００４０】
(作用)
次に、自動販売機１の作用を説明する。
この自動販売機１では、ハンドル４を回転させると、ハンドル軸４ａ，傘歯車２２，２４を介して板カム２５が回転される。すると、板カム２５によってレバー２６が回動され、それによってスライド部材２７が動き始める。
【００４１】
その際、各コイン収容凹部２７ａに正規のコインＣ１０(Ｃ２０)が所定枚数無い状態では、いずれかのロックレバー３１の先端が図８に示すように、コイン収容凹部２７ａに入り込むため、コイン収容凹部２７ａの側壁がロックレバー３１の先端に突き当たり、それ以上の移動が阻止される。したがって、ハンドル４をそれ以上回転させることはできない。
【００４２】
一方、各コイン収容凹部２７ａに正規のコインＣ１０(Ｃ２０)が所定枚数収容されると、各ロックレバー３１の先端は各コイン収容凹部２７ａから外へ排除されるため、スライド体２１の移動は阻止されることはない。したがって、ハンドル４を継続して回転させることができる。これによって、カプセル商品Ａが商品排出口５から排出される。
【００４３】
また、この自動販売機１では、空打ち防止機構１７によって、次回排出商品の有無が検出され、次回排出商品がある場合には、ハンドル４が初期位置に戻るので次のコインＣの投入を許可し、コイン投入後にハンドル４を回転させることでカプセル商品Ａが商品排出口５から排出される。
【００４４】
一方、コイン投入前に、空打ち防止機構１７によって、次回排出商品が無しとされたときには、検出レバー１８がスプリング１９の付勢力によって回動され、係止片１８ｂが商品保持ドラム１３の被係止壁１３ｃに当接され、商品保持ドラム１３ひいてはハンドル４の回転が阻止される。
【００４５】
(発明の変形)
以上、本発明の実施形態について説明したが、本発明は、かかる実施形態に限定されず、発明の要旨を逸脱しない範囲で種々の変形が可能である。
【００４６】
上記実施形態では、コイン選別機構６０としてコイン投入部６１を備えるものについて述べたが、コイン投入部６１とコイン選別機構６０の箱体６２とを別体としてもよい。要は、第１のコイン通路６２ｄに直立状態でコインＣが入ることである。
【００４７】
また、上記実施形態では、コイン選別機構６０は投入コインを径の異なる２つのグループに振り分けるように構成されているが、投入コインを３つ以上のグループに振り分ける場合にも応用できる。この場合には、傾倒したコインの上縁に当接及び摺接する、高さの異なるガイド部を第１のコイン通路６２ｄの外側に降順に複数設け、各ガイド部に当接及び摺接したコインを別々のコイン通路に導くようにすればよい。
【００４８】
さらに、上記実施形態では、コイン選別機構６０は投入コインを径の異なる２つのグループに振り分けるように構成されているが、これを最終段のコイン選別に用いれば、２つの正規コインの選別にも使用することができる。
【符号の説明】
【００４９】
１    自動販売機
３    コイン投入口
４    ハンドル
５    商品排出口
１７    空打ち防止機構
２０    ハンドル作動機構
３５    コイン選別機構
６０    コイン選別機構
【図１】
2019207578.tif 000003
【図２】
2019207578.tif 000004
【図３】
2019207578.tif 000005
【図４】
2019207578.tif 000006
【図５】
2019207578.tif 000007
【図６】
2019207578.tif 000008
【図７】
2019207578.tif 000009
【図８】
2019207578.tif 000010
【図９】
2019207578.tif 000011
【図１０】
2019207578.tif 000012
【図１１】
2019207578.tif 000013
【図１２】
2019207578.tif 000014
【図１３】
2019207578.tif 000015
【図１４】
2019207578.tif 000016
【図１５】
2019207578.tif 000017
【図１６】
2019207578.tif 000018
【図１７】
2019207578.tif 000019
【図１８】
2019207578.tif 000020